(57)【要約】【課題】分散印刷を行う際、挿入紙トレイから給紙した用紙がジャムの影響を受けた場合に、用紙の並べ替えなどの手間が発生することなく、無駄な用紙を発生させることなく、リカバリを行う。【解決手段】分散印刷において、ジャムによりジョブが中断した場合には、ジャム処理後のジョブの再開時に、第１挿入紙トレイから給紙されてジャム処理対象となった挿入用紙の代替として、第２挿入紙トレイに載置された挿入用紙の中から、ジャム処理対象となった挿入用紙のページと同じページの挿入用紙を挿入する。【選択図】図７
2016088051.tif 000002
【特許請求の範囲】
【請求項１】
第１の種類のページと第２の種類のページとが混在した原稿に基づいて複数の部数を印刷するジョブに従い、画像形成を行う画像形成装置であって、
給紙された用紙に前記第２の種類のページの画像を形成する画像形成部と、
用紙の搬送を行う用紙搬送部と、
前記用紙搬送部により搬送された用紙が排紙される第１排紙トレイと、
前記第１の種類のページに対応する挿入用紙が前記印刷の部単位で載置される第１挿入紙トレイ及び第２挿入紙トレイを有する用紙挿入部と、
ジャムの発生を検出するジャム検出部と、
前記ジョブに基づき、前記画像形成部により前記給紙された用紙に前記第２の種類のページに基づく画像を形成し、前記用紙挿入部及び前記用紙搬送部により前記第２の種類のページに基づく画像が形成された複数の用紙間の所定のページに、前記第１挿入紙トレイに載置された前記挿入用紙を挿入し、前記用紙搬送部により前記第２の種類のページに基づく画像が形成された複数の用紙と前記挿入用紙とをページ順に前記第１排紙トレイへ排紙するよう制御する制御部と、を備え、
前記制御部は、前記ジャム検出部によりジャムが検出されて前記ジョブが中断した場合には、ジャム処理後に前記ジョブを再開したとき、前記第１挿入紙トレイから給紙されてジャム処理対象となった挿入用紙の代替として、前記第２挿入紙トレイに載置された前記挿入用紙の中から、前記ジャム処理対象となった前記挿入用紙のページと同じページの挿入用紙を挿入するリカバリ処理を行う
画像形成装置。
【請求項２】
前記制御部は、前記印刷の管理単位を部単位とし、前記リカバリ処理に用いる前記第２挿入紙トレイに載置された前記挿入用紙のページ以外のページを該当する管理単位の範囲内で排紙する
請求項１に記載の画像形成装置。
【請求項３】
前記制御部は、前記第２挿入紙トレイに載置された前記挿入用紙の中から、前記ジャム処理対象となった前記挿入用紙のページと同じページの挿入用紙を挿入する場合に、前記ジャム処理対象となった前記挿入用紙のページと同じページに到達するまで、他のページの前記挿入用紙を排紙する
請求項２に記載の画像形成装置。
【請求項４】
前記第１挿入紙トレイに載置される前記挿入用紙の部数と、前記第２挿入紙トレイに載置される前記挿入用紙の部数との合計は、第１の種類と第２の種類のページとが混在した前記原稿に基づいて印刷すべき部数と同じである
請求項１乃至３のいずれかに記載の画像形成装置。
【請求項５】
前記制御部は、前記ジャム検出部の検出結果に基づいてジャムの発生率を計算し、該ジャムの発生率を記憶部に記憶し、
前記第１挿入紙トレイ及び前記第２挿入紙トレイの各々に載置する前記挿入用紙の部数は、印刷部数及び１部当たりの印刷枚数と、前記記憶部に記憶された前記ジャムの発生率とに基づいて決定される
請求項４に記載の画像形成装置。
【請求項６】
用紙が排紙される第２排紙トレイ、を更に備え、
前記制御部は、前記リカバリ処理時に、排紙対象の前記挿入用紙を前記第２排紙トレイに排紙するよう制御する
請求項１乃至５のいずれかに記載の画像形成装置。
【請求項７】
前記第１の種類のページとはカラーページであり、
前記第２の種類のページとはモノクロページであり、
前記第１挿入紙トレイ及び前記第２挿入紙トレイに載置される前記挿入用紙は、前記カラーページに基づく画像が形成されており、
前記画像形成部は、前記モノクロページに基づき前記用紙に画像を形成する
請求項１乃至６のいずれかに記載の画像形成装置。
【請求項８】
第１の種類のページと第２の種類のページとが混在した原稿に基づいて複数の部数を印刷するジョブに従い制御を行う制御部と、給紙された用紙に前記第２の種類のページの画像を形成する画像形成部と、用紙の搬送を行う用紙搬送部と、前記用紙搬送部により搬送された用紙が排紙される第１排紙トレイと、前記第１の種類のページに対応する挿入用紙が前記印刷の部単位で載置される第１挿入紙トレイ及び第２挿入紙トレイを有する用紙挿入部と、ジャムの発生を検出するジャム検出部と、を有する画像形成装置の制御方法であって、
前記制御部が、前記ジョブに基づき、前記画像形成部により前記給紙された用紙に前記第２の種類のページに基づく画像を形成するステップと、
前記制御部が、前記用紙挿入部及び前記用紙搬送部により前記第２の種類のページに基づく画像が形成された複数の用紙間の所定のページに、前記第１挿入紙トレイに載置された前記挿入用紙を挿入するステップと、
前記制御部が、前記第２の種類のページに基づく画像が形成された複数の用紙と前記挿入用紙とをページ順に前記第１排紙トレイへ排紙するステップと、を有し、
前記挿入用紙を挿入するステップにおいて、前記ジャム検出部によりジャムが検出されてジョブが中断した場合には、ジャム処理後に前記ジョブを再開したとき、前記制御部が、前記第１挿入紙トレイから給紙されてジャム処理対象となった挿入用紙の代替として、前記第２挿入紙トレイに載置された前記挿入用紙の中から、前記ジャム処理対象となった前記挿入用紙のページと同じページの挿入用紙を挿入するリカバリ処理を行う
画像形成装置の制御方法。
【請求項９】
第１の種類のページと第２の種類のページとが混在した原稿に基づいて複数の部数を印刷するジョブに従い制御を行う制御部と、給紙された用紙に前記第２の種類のページの画像を形成する画像形成部と、用紙の搬送を行う用紙搬送部と、前記用紙搬送部により搬送された用紙が排紙される第１排紙トレイと、前記第１の種類のページに対応する挿入用紙が前記印刷の部単位で載置される第１挿入紙トレイ及び第２挿入紙トレイを有する用紙挿入部と、ジャムの発生を検出するジャム検出部と、を有する画像形成装置のコンピュータに、
前記ジョブに基づき、前記画像形成部により前記給紙された用紙に前記第２の種類のページに基づく画像を形成する手順と、
前記用紙挿入部及び前記用紙搬送部により前記第２の種類のページに基づく画像が形成された複数の用紙間の所定のページに、前記第１挿入紙トレイに載置された前記挿入用紙を挿入する手順と、
前記用紙搬送部により前記第２の種類のページに基づく画像が形成された複数の用紙と前記挿入用紙とをページ順に前記第１排紙トレイへ排紙する手順と、
前記挿入用紙を挿入する手順において、前記ジャム検出部によりジャムが検出されて前記ジョブが中断した場合には、ジャム処理後に前記ジョブを再開したとき、前記第１挿入紙トレイから給紙されてジャム処理対象となった挿入用紙の代替として、前記第２挿入紙トレイに載置された前記挿入用紙の中から、前記ジャム処理対象となった前記挿入用紙のページと同じページの挿入用紙を挿入するリカバリ処理を行う手順を、
実行させるためのプログラム。
【発明の詳細な説明】
【技術分野】
【０００１】
本発明は、カラークラスタ印刷等の分散印刷に用いられる画像形成装置、画像形成装置の制御方法、及びプログラムに関する。
【背景技術】
【０００２】
印刷技術として、複数の用紙に画像を形成する印刷ジョブ（以下、単に「ジョブ」と記すことがある）を実行中に、画像が形成された用紙間の所定のページに予め用意された用紙を挿入することで、複数の用紙を所定の順に揃えて（丁合して）排紙する分散印刷がある。
【０００３】
この分散印刷の一つに、カラークラスタ印刷と呼ばれるものがある。カラークラスタ印刷では、カラーページとモノクロページが混在した原稿（以下、「カラー／モノクロ混在原稿」と記す）の、カラーページはカラー画像形成装置で印刷（カラー印刷）し、モノクロページはモノクロ画像形成装置で印刷（モノクロ印刷）するように振り分けられる。振り分け後、カラー画像形成装置でカラーページ（カラー画像）の印刷が行われる。ユーザは、カラー画像形成装置でカラーページが印刷された用紙を、モノクロ画像形成装置の挿入紙トレイに載置する。そして、モノクロ画像形成装置において、モノクロページ（モノクロ画像）を印刷中に挿入紙トレイに載置されたカラーページが印刷された用紙が適切な位置（ページ）に挿入され、カラーページが印刷された用紙とモノクロページが印刷された用紙とが目的のページ順に排紙される。
【０００４】
このようなカラークラスタ印刷により、カラー画像形成装置の使用はカラー／モノクロ混在原稿のカラーページを印刷するときのみに限定されるため、より早く、安価にカラー／モノクロ混在原稿を印刷することができる。通常、モノクロ画像の印刷（モノクロ印刷）は、カラー画像形成装置を用いて行うよりもモノクロ画像形成装置を用いて行う方が、より早く、安価である。
【０００５】
特許文献１に、挿入紙トレイ（インサータ）を使用する技術として、中断されたジョブに対するリカバリ動作の実行可否を、中断されたジョブがインサータを使用するジョブであるか否かに基づいて決定する画像形成システムが記載されている。この画像形成システムは、中断されたジョブがインサータを使用するジョブの場合には、インサータの確認を促す為の通知をユーザに対して行い、ユーザからの指示によりリカバリ動作を開始する。リカバリ動作として、複数部出力の場合には、部の切れ目から処理を再開する。
【先行技術文献】
【特許文献】
【０００６】
【特許文献１】特開２００５−２１０７５４号公報
【発明の概要】
【発明が解決しようとする課題】
【０００７】
ところで、挿入紙トレイから通紙を行う際にジャムが発生した場合には、画像形成装置内の用紙の搬送が停止し、ユーザはジャム処理を行う必要がある。ジャムとは、画像形成装置内において用紙が紙詰まり等の理由により異常に停止することであり、画像形成装置内で異常に停止した用紙をジャム用紙という。また、この異常に停止した用紙、及びジャム用紙以外の搬送中に停止された用紙（残留紙）をユーザが除去する行為を、ジャム処理という。
【０００８】
一般的に、ジャム処理後に印刷を再開する場合、画像形成装置本体から給紙された用紙に対する印刷に関しては、適切なページから印刷が再開されるが、挿入紙トレイから給紙された用紙は、ジャムのために利用できなくなる。また、挿入紙トレイから給紙された、カラーページが印刷された用紙がジャム処理の対象となった場合、モノクロ画像形成装置ではリカバリすることができない。そのため、ジャムによりカラーページが印刷された用紙が傷ついた場合には、当該用紙を使用できない（欠損する）。したがって、そのまま印刷を再開すると、挿入する用紙の順番が変わったり、挿入する用紙が足りなくなったりという問題が発生し、印刷を正しく継続することができない。このため、欠損した挿入すべき用紙をユーザが用意して挿入紙トレイに載置し、印刷を継続していたが、手間がかかりユーザにとって負担であった。また、ジャムが発生した場合に、カラーページが印刷された傷ついた用紙を排紙し、予め挿入紙トレイに余分に用意しておいたカラーページが印刷された用紙を用いてリカバリする方法では、無駄な用紙が発生する。
【０００９】
特許文献１に記載された技術は、リカバリ処理の際にモノクロ画像形成装置が停止してユーザに注意を促すメッセージを表示するだけであり、インサータに載置された用紙を自動的にリカバリするものではない。
【００１０】
上記の状況から、カラークラスタ印刷などの分散印刷を行う際、挿入紙トレイから給紙した用紙がジャム処理の対象となった場合に、手間をかけることなく、自動的にリカバリを行うことが望まれていた。
【課題を解決するための手段】
【００１１】
本発明の一態様の画像形成装置は、第１の種類のページと第２の種類のページとが混在した原稿に基づいて複数の部数を印刷するジョブに従い、画像形成を行う画像形成装置であって、給紙された用紙に第２の種類のページの画像を形成する画像形成部と、用紙の搬送を行う用紙搬送部と、該用紙搬送部により搬送された用紙が排紙される第１排紙トレイと、第１の種類のページに対応する挿入用紙が印刷の部単位で載置される第１挿入紙トレイ及び第２挿入紙トレイを有する用紙挿入部と、ジャムの発生を検出するジャム検出部と、を有する。
さらに、画像形成装置は、上記ジョブに基づき、上記画像形成部により給紙された用紙に第２の種類のページに基づく画像を形成し、上記用紙挿入部及び上記用紙搬送部により第２の種類のページに基づく画像が形成された複数の用紙間の所定のページに、第１挿入紙トレイに載置された挿入用紙を挿入し、上記用紙搬送部により第２の種類のページに基づく画像が形成された複数の用紙と挿入用紙とをページ順に第１排紙トレイへ排紙するよう制御する制御部、を備える。
この制御部は、ジャム検出部によりジャムが検出されてジョブが中断した場合には、ジャム処理後にジョブを再開したとき、第１挿入紙トレイから給紙されてジャム処理対象となった挿入用紙の代替として、第２挿入紙トレイに載置された挿入用紙の中から、ジャム処理対象となった挿入用紙のページと同じページの挿入用紙を挿入するリカバリ処理を行う。
【００１２】
また本発明の一態様の画像形成装置の制御方法は、第１の種類のページと第２の種類のページとが混在した原稿に基づいて複数の部数を印刷するジョブに従い制御を行う制御部と、給紙された用紙に第２の種類のページの画像を形成する画像形成部と、用紙の搬送を行う用紙搬送部と、該用紙搬送部により搬送された用紙が排紙される第１排紙トレイと、第１の種類のページに対応する挿入用紙が印刷の部単位で載置される第１挿入紙トレイ及び第２挿入紙トレイを有する用紙挿入部と、ジャムの発生を検出するジャム検出部と、を有する画像形成装置の制御方法である。
この画像形成装置の制御方法は、上記制御部が、上記ジョブに基づき、上記画像形成部により給紙された用紙に第２の種類のページに基づく画像を形成するステップと、
上記制御部が、上記用紙挿入部及び上記用紙搬送部により第２の種類のページに基づく画像が形成された複数の用紙間の所定のページに、第１挿入紙トレイに載置された挿入用紙を挿入するステップと、
上記制御部が、第２の種類のページに基づく画像が形成された複数の用紙と挿入用紙とをページ順に第１排紙トレイへ排紙するステップと、を有する。
さらに、上記挿入用紙を挿入するステップにおいて、上記ジャム検出部によりジャムが検出されてジョブが中断した場合には、ジャム処理後にジョブを再開したとき、制御部が、第１挿入紙トレイから給紙されてジャム処理対象となった挿入用紙の代替として、第２挿入紙トレイに載置された挿入用紙の中から、ジャム処理対象となった挿入用紙のページと同じページの挿入用紙を挿入するリカバリ処理を行う。
また、本発明の一態様のプログラムは、上記画像形成装置の制御方法をコンピュータに実行させるものである。
【発明の効果】
【００１３】
少なくとも本発明の一態様の画像形成装置によれば、ジャム処理後のジョブ再開時に、第１挿入紙トレイから給紙されてジャム処理対象となった挿入用紙の代替として、第２挿入紙トレイに載置された挿入用紙の中から、ジャム処理対象となった挿入用紙のページと同じページの挿入用紙を挿入するリカバリ処理を行う。すなわち、カラークラスタ印刷などの分散印刷を行う際に、通常用の挿入紙トレイから給紙された挿入用紙がジャム処理の対象となった場合、リカバリ用の挿入紙トレイから挿入用紙を給紙する。それ故、例えば通常用の挿入紙トレイに載置した挿入用紙が欠損しても欠損した分の挿入用紙を用意したり、挿入用紙を並べ替えたりなどの手間が発生することなく、リカバリを行うことができる。
【図面の簡単な説明】
【００１４】
【図１】本発明の一実施の形態に係る画像形成システムの全体構成例を示す図である。
【図２】図１のモノクロ画像形成装置の構成例を示す図である。
【図３】図１のサーバのハードウェア構成例を示すブロック図である。
【図４】図１のモノクロ画像形成装置のハードウェア構成例を示すブロック図である。
【図５】図１の画像形成システムによるカラークラスタ印刷のシーケンス図である。
【図６】カラークラスタ印刷の説明図である。図６Ａはカラー／モノクロ混在原稿の例、図６Ｂは挿入用紙の例、図６Ｃはジャム時の各用紙の状態の例、図６Ｄはリカバリ処理の例を示す。
【図７】本発明の一実施の形態に係るカラークラスタ印刷のリカバリ処理を示すフローチャートである。
【図８】本発明の一実施の形態に係るカラークラスタ印刷のリカバリ処理の具体例を示す説明図である。
【図９】クラスタ設定画面の例を示す図である。
【図１０】カラークラスタ印刷スタート画面の例を示す図である。
【図１１】挿入紙トレイ確認画面の例を示す図である。
【図１２】ジャム通知画面の例を示す図である。
【図１３】プリント再開画面の例を示す図である。
【図１４】リカバリ通知画面の例を示す図である。
【図１５】本発明の一実施の形態に係るリカバリ処理後の不足部数の印刷処理を示すシーケンス図である。
【図１６】カラークラスタ印刷結果の例を示す図である。
【図１７】オプション設定画面の例を示す図である。
【図１８】カラークラスタ分割設定画面の例を示す図である。
【発明を実施するための形態】
【００１５】
以下、本発明を実施するための形態について図面を用いて詳細に説明する。なお、以下の説明や各図において、同一要素または同一機能を有する要素には同一の符号を付して示し、重複する説明は省略する。
【００１６】
［画像形成システムの全体構成］
図１は、本発明の一実施の形態に係る画像形成システムの全体構成例を示す。
図１において、サーバ１、カラー画像形成装置２、及びモノクロ画像形成装置３が、イーサネット（登録商標）などの規格に準拠したＬＡＮ等の通信回線４に接続されて画像形成システムが構成されている。サーバ１とカラー画像形成装置２、並びに、サーバ１とモノクロ画像形成装置３は、それぞれ通信回線４を介して相互に通信可能である。カラー画像形成装置２及びモノクロ画像形成装置３として、例えば複写機等が用いられる。
【００１７】
サーバ１は、複数台の画像形成装置（図１ではカラー画像形成装置２、モノクロ画像形成装置３）に送信するジョブを管理する。サーバ１は、ジョブの分割処理、ジョブの送信、印刷ステータスの受信等の機能を持つ。例えば、サーバ１は、ユーザの入力操作によって指示されたジョブに含まれる画像データや出力設定を、通信回線４を介して、カラー画像形成装置２及びモノクロ画像形成装置３に送信する。また、サーバ１は、カラー画像形成装置２及びモノクロ画像形成装置３から印刷ステータスとして現在の各画像形成装置の状態情報を受信する。また、サーバ１は、カラークラスタ等の分散処理に係るジョブをサブジョブに分割し、通信回線４を介して、一方のサブジョブ（カラー印刷ジョブ等）をカラー画像形成装置２へ送信し、他方のサブジョブ（モノクロ印刷ジョブ等）をモノクロ画像形成装置３に送信する。ジョブの分割処理は、例えば特開２００８−８４３２５号公報に記載されているように概知である。
【００１８】
カラー画像形成装置２は、電子写真方式により用紙に画像を形成することで印刷を行うカラー画像形成装置である。例えばカラークラスタ印刷におけるカラー／モノクロ混在原稿のカラーページの印刷は、このカラー画像形成装置２で行われる。
【００１９】
モノクロ画像形成装置３は、電子写真方式により用紙に画像を形成することで印刷を行うモノクロ画像形成装置である。例えばカラークラスタ印刷におけるカラー／モノクロ混在原稿のモノクロページの印刷は、このモノクロ画像形成装置３で行われる。カラークラスタ印刷の場合には、ユーザは、カラー画像形成装置２によりカラーページが印刷された用紙（以下、「カラー印刷済み用紙」と記す）をモノクロ画像形成装置３の挿入ユニット５１０（後述する図２）に載置（セット）する。モノクロ画像形成装置３は、モノクロページの印刷中にカラー印刷済み用紙を適切な位置（ページ）に挿入し、カラー印刷済み用紙とモノクロページが印刷された用紙とを目的のページ順に並べて排紙する。
【００２０】
［モノクロ画像形成装置の構成］
図２は、モノクロ画像形成装置３の構成例を示す。
モノクロ画像形成装置３は、画像形成装置本体２００、画像読取装置３００、自動原稿送り装置４００、操作表示部３５、及び後処理装置５００を有する構成となっている。
【００２１】
画像形成装置本体２００は、画像形成部２１０、定着部２２０および用紙搬送部２３０を有する。この画像形成装置本体２００において、画像形成部２１０は、感光体２１１、帯電部２１２、露光部２１３、現像部２１４、転写部２１５、およびクリーニング部２１６等から構成されている。
【００２２】
感光体２１１は、像担持体であり、図示しない駆動源による駆動によって回転する。帯電部２１２は、感光体２１１に電荷を与えることによって当該感光体２１１の表面を一様に帯電する。露光部２１３は、自動原稿送り装置４００によって搬送された原稿ｄから読み取られた画像データ等に基づいて、感光体２１１の表面に対して露光を行うことにより、感光体２１１上に静電潜像を形成する。
【００２３】
現像部２１４は、トナーとキャリアからなる２成分現像剤を用いて、感光体２１１上に形成された静電潜像を現像してトナー像とする。転写部２１５は、感光体２１１上のトナー像を、用紙搬送部２３０によって搬送される用紙Ｐに転写する。クリーニング部２１６は、感光体２１１上に残留しているトナーを除去する、即ち、感光体２１１の表面をクリーニングする。
【００２４】
用紙搬送部２３０は、給紙カセット２３１、第１給紙部２３２、第２給紙部２３３、排紙部２３４、搬送路切換部２３５、循環再給紙部２３６、および反転排紙部２３７から構成されている。この用紙搬送部２３０の任意の複数の位置に、ジャム検出部３７が配置されている。
【００２５】
自動原稿送り装置４００の原稿台上に載置された原稿ｄは、原稿搬送部４１０によって画像読取装置３００へ搬送される。画像読取装置３００へ搬送された原稿ｄは、その片面又は両面の画像が光学系により露光され、イメージセンサ４２０によって読み取られる。イメージセンサ４２０により光電変換されたアナログ信号は、画像処理部４３０において、アナログ処理、Ａ／Ｄ変換処理、シェーディング補正処理、画像圧縮処理等の各種の処理が行われる。そして、各種の信号処理が行われた画像信号は、画像処理部４３０から露光部２１３に送られる。
【００２６】
画像形成部２１０においては、感光体２１１の表面が帯電部２１２により帯電され、露光部２１３からのレーザ光の照射により静電潜像が形成され、現像部２１４により静電潜像が顕像化されてトナー像となる。次いで、給紙カセット２３１に収容された用紙Ｐが第１給紙部２３２によって搬送される。用紙Ｐは、レジストローラから成る第２給紙部２３３でトナー像との同期がとられて搬送される。その後、用紙Ｐは、転写部２１５でトナー像が転写され、しかる後定着部２２０によりトナー像が用紙Ｐに定着される。
【００２７】
定着後の用紙Ｐは、排紙部２３４によって画像形成装置本体２００外に排出される。一方、クリーニング部２１６により感光体２１１上の転写残りのトナーの除去処理が行われる。なお、両面コピーの場合は、第１面に画像形成された用紙Ｐは、循環再給紙部２３６に送り込まれて反転され、再び画像形成部２１０において第２面に画像形成後、排紙部２３４によって画像形成装置本体２００から後処理装置５００へ排出される。反転排紙の場合には、通常の排紙通路から分岐した用紙Ｐは、反転排紙部２３７においてスイッチバックして表裏反転された後、排紙部２３４によって画像形成装置本体２００外に排出される。
【００２８】
操作表示部３５は、ＬＣＤ又は有機ＥＬＤ等のディスプレイを有するタッチパネルである。
【００２９】
後処理装置５００は、用紙を挿入する挿入ユニット５１０（用紙挿入部の一例）、用紙搬送部５２０、第１排紙トレイ５３１、第２排紙トレイ５３２を備える。また、後処理装置５００は、用紙を折ったり、用紙に対してステープル処理等を行ったりする処理ユニットを有するが、本発明の本質とは関係ないため図示を省略する。
【００３０】
挿入ユニット５１０は、後処理装置５００の上部に設置されており、第１挿入紙トレイ５１１及び第２挿入紙トレイ５１２を有する。第１挿入紙トレイ５１１は通常時の用紙挿入に用いられるトレイ（通常用挿入紙トレイ）であり、第２挿入紙トレイ５１２はジャムが発生した場合のリカバリ処理に用いられるトレイ（リカバリ用挿入紙トレイ）である。
【００３１】
用紙搬送部５２０は、第１給紙部５１３、第２給紙部５１４、第１排紙部５２１、及び第２排紙部５２２から構成されている。
【００３２】
第１挿入紙トレイ５１１に載置された用紙（以下、「挿入用紙」と記す）は、第１給紙部５１３によって一枚ずつ給紙される。挿入用紙は、用紙搬送部５２０によって画像形成装置本体２００の排紙部２３４から排出される用紙と重ならないように搬送される。すなわち、用紙搬送部５２０は、用紙搬送部２３０とタイミングを合わせて動作する。その後、挿入用紙は、用紙搬送部５２０を構成する第１排紙部５２１によって、第１排紙トレイ５３１に排出される。
【００３３】
同様に、第２挿入紙トレイ５１２に載置された挿入用紙は、第２給紙部５１４によって一枚ずつ給紙され、用紙搬送部５２０によって画像形成装置本体２００の排紙部２３４から排出される用紙と重ならないように搬送される。その後、挿入用紙は、第１排紙部５２１によって第１排紙トレイ５３１に排出される。なお、用紙搬送部５２０の第２排紙部５２２は、ジャム処理対象の挿入用紙以外の不要な挿入用紙を第２排紙トレイ５３２へ排紙する。このジャム処理対象の挿入用紙以外の不要な挿入用紙については、後で図８を参照して説明する。
【００３４】
挿入ユニット５１０は、さらに第１挿入紙トレイ５１１に載置された用紙を検出する第１用紙検知センサ５１５と、第２挿入紙トレイ５１２に載置された用紙を検出する第２用紙検知センサ５１６とを備える。第１用紙検知センサ５１５及び第２用紙検知センサ５１６は、例えば発光部材と受光部材とが対向配置された透過型のフォトセンサ、又は出射した光の物体による反射光を検出する反射型のフォトセンサなどが用いられる。
【００３５】
画像形成装置本体２００から片面画像形成における画像形成面（又は両面画像形成における表面）を下方に向けて用紙が排紙（フェースダウン排紙）される場合、第１挿入紙トレイ５１１及び第２挿入紙トレイ５１２に、挿入用紙がその画像形成面を上方に向けた状態（フェースアップ）で載置される。また、用紙が画像形成装置本体２００からフェースアップ排紙される場合には、第１挿入紙トレイ５１１及び第２挿入紙トレイ５１２に、挿入用紙がその画像形成面を下方に向けた状態（フェースダウン）で載置される。
【００３６】
なお、画像形成装置本体２００に給紙装置を接続してもよい。給紙装置内の給紙トレイの上に積載された用紙束から用紙を一枚ずつ分離し、画像形成装置本体２００に給紙する。
【００３７】
［サーバのハードウェア構成］
図３は、サーバ１のハードウェア構成例を示す。
サーバ１は、例えばＣＰＵ（Central Processing Unit）１１と、ＲＯＭ（Read Only Memory）１２と、該ＣＰＵ１１の作業領域として使用されるＲＡＭ（Random Access Memory）１３とを有する。さらにＣＰＵ１１は、大容量記憶装置としてのハードディスクドライブ（ＨＤＤ）１４と、表示部１５と、操作部１６とを有する。
【００３８】
ＣＰＵ１１は、ＲＯＭ１２、ＲＡＭ１３、ＨＤＤ１４、表示部１５及び操作部１６にそれぞれシステムバス１８を介して接続され、システム全体を制御する。また、ＣＰＵ１１は、通信インターフェース（通信Ｉ／Ｆ）１７とシステムバス１８を介して接続している。
【００３９】
ＲＯＭ１２は、記録媒体の一例であり、ＣＰＵ１１が実行するプログラムや該プログラムを実行するために必要なデータ等を保存する。なお、ＲＯＭ１２としては、例えば、電気的に消去可能なプログラマブルＲＯＭが用いられる。
【００４０】
ＨＤＤ１４は、各種のドキュメント、カラー／モノクロ混在原稿等の画像の画像データ及び出力設定（ジョブ）などを記憶する。ＣＰＵ１１が実行するプログラムや該プログラムを実行するために必要なデータ等をＨＤＤ１４が保存していてもよい。
【００４１】
表示部１５は、液晶表示装置（ＬＣＤ）又は有機ＥＬＤ（Electro Luminescence Display）等のディスプレイである。表示部１５は、画像データや該画像データに関する情報、ユーザに対する指示メニュー、及び印刷ステータス等を表示する。
【００４２】
操作部１６は、キーボードやマウス等によって構成される。操作部１６は、ユーザの操作による各種の指示、文字、数字などのデータの入力を受け付けて、入力信号をＣＰＵ１１に出力する。ユーザは、表示部１５に表示された画面を見ながら、操作部１６を操作してカラー画像形成装置２及びモノクロ画像形成装置３に対する印刷指示や出力設定を行うことができる。
【００４３】
通信Ｉ／Ｆ１７は、通信回線４を介して、カラー画像形成装置２及びモノクロ画像形成装置３との間でデータ送受信の処理を行う。例えば、通信Ｉ／Ｆ１７は、ＣＰＵ１１の制御の下で、カラー画像形成装置２及びモノクロ画像形成装置３にジョブを送信したり、カラー画像形成装置２及びモノクロ画像形成装置３から印刷ステータスを受信したりする。
【００４４】
［モノクロ画像形成装置のハードウェア構成］
次に、画像形成装置のハードウェア構成例について説明する。カラー画像形成装置２とモノクロ画像形成装置３の構成は、カラー画像を形成するかモノクロ画像を形成するかの違いだけであり、基本的な構成は同じである。ここでは、モノクロ画像形成装置３について説明する。
【００４５】
図４は、モノクロ画像形成装置３のハードウェア構成例を示す。この図４においては、本発明を説明するために必要と考える構成を記載し、本発明の本質とは関係ない部分を省略している。
【００４６】
モノクロ画像形成装置３は、サーバ１と同様に、例えばＣＰＵ３１と、ＲＯＭ３２と、該ＣＰＵ３１の作業領域として使用されるＲＡＭ３３と、大容量記憶装置としてのハードディスクドライブ（ＨＤＤ）３４と、操作表示部３５とを有する。
【００４７】
ＣＰＵ３１は、ＲＯＭ３２、ＲＡＭ３３、ＨＤＤ３４、操作表示部３５にそれぞれシステムバス３９を介して接続され、装置全体を制御する。また、ＣＰＵ３１は、画像形成部２１０、定着部２２０、用紙搬送部２３０，５２０、挿入ユニット５１０、ジャム検出部３７、通信Ｉ／Ｆ３８にシステムバス３９を介して接続されている。このＣＰＵ３１は、ＲＯＭ３２及びＲＡＭ３３とともに制御部を構成する。なお、制御部は、マイクロコンピュータにより構成してもよい。
【００４８】
ＲＯＭ３２は、記録媒体の一例であり、ＣＰＵ３１が実行するプログラムや該プログラムを実行するために必要なデータ等を保存する。
【００４９】
ＨＤＤ３４は、画像読取装置３００で読み取って得た原稿画像の画像データや、サーバ１から受信した画像データ及び出力設定を含むジョブ、出力済みの画像データ等を保存する。ＣＰＵ３１が実行するプログラムや該プログラムを実行するために必要なデータ等をＨＤＤ３４が保存していてもよい。
【００５０】
操作表示部３５は、ＬＣＤ又は有機ＥＬＤ等のディスプレイを有するタッチパネルである。操作表示部３５は、取得した画像データやジョブに関する情報、ユーザに対する指示メニュー、及び印刷ステータス等を表示する。さらに、操作表示部３５は、複数のキーを備え、ユーザのキー操作による各種の指示、文字、数字などのデータの入力を受け付けて、入力信号をＣＰＵ３１に出力する。
【００５１】
通信Ｉ／Ｆ３８は、通信回線４を介して、サーバ１との間でデータ送受信の処理を行う。例えば、通信Ｉ／Ｆ３８は、ＣＰＵ３１の制御の下で、サーバ１からジョブを受信したり、サーバ１へ印刷ステータスを送信したりする。
【００５２】
ＣＰＵ３１は、画像読取装置３００によって生成された画像データや、モノクロ画像形成装置３に接続されたサーバ１から送信されるジョブに含まれる画像データに、該ジョブに含まれる出力設定に基づいて、所定の処理を行う。所定の処理として、例えばラスタライズ処理としてのＲＩＰ（Raster Image Processor）処理などがある。なお、ＲＩＰ処理は、サーバ１で実行してもよい。
【００５３】
画像形成部２１０、定着部２２０、及び用紙搬送部２３０は、ＣＰＵ３１の制御に基づいて動作する。画像形成部２１０は、所定の処理が行われた画像データを受け取り、画像データに基づいて用紙Ｐ上にモノクロ画像を形成する。モノクロ画像が形成された用紙Ｐは、用紙搬送部２３０により定着部２２０へ搬送され、定着部２２０でモノクロ画像が定着される。定着後の用紙Ｐは、用紙搬送部２３０によって画像形成装置本体２００から後処理装置５００へ搬送される。
【００５４】
後処理装置５００の挿入ユニット５１０は、ＣＰＵ３１の制御に基づいて、挿入ユニット５１０の第１挿入紙トレイ５１１及び第２挿入紙トレイ５１２に載置された挿入用紙を適宜給紙する。そして、用紙搬送部５２０は、ＣＰＵ３１の制御に基づいて、モノクロ画像形成装置３から搬送される用紙Ｐの紙間（後述する部単位（管理単位）の所定のページ）に挿入する。そして、用紙搬送部５２０は、用紙Ｐと挿入用紙とをページ順に第１排紙トレイ５３１へ排紙する。なお、用紙搬送部５２０は、ジャム処理対象の用紙を第２排紙トレイ５３２へ排紙する。
【００５５】
ジャム検出部３７は、モノクロ画像形成装置３の画像形成装置本体２００又は後処理装置５００にジャムが発生したことを検出すると、ジャムが発生したことを示すジャム信号をＣＰＵ３１に出力する。このジャム検出部３７は、画像形成装置本体２００及び後処理装置５００内の複数個所に設けられており、ＣＰＵ３１は、受信したジャム信号からモノクロ画像形成装置３内のどの場所でジャムが発生したかがわかる。また、ＣＰＵ３１は、ジョブの出力設定や、排紙枚数のカウント値もしくは給紙枚数のカウント値等の情報から、どのページにおいてジャムが発生したか及びジャム処理対象のページを確認することができる。
【００５６】
ＣＰＵ３１は、ジャム検出部３７からジャム信号を受信すると、モノクロ画像形成装置３のジョブを停止し、ユーザにジャム処理（ジャム用紙、及び用紙搬送部２３０，５２０上で搬送が停止された用紙（残留紙）の除去）を促すメッセージを操作表示部３５に表示する。ＣＰＵ３１は、ジャム処理が行われたことを確認した後に、モノクロ画像形成装置３のジョブを再開する。ＣＰＵ３１は、ジョブがカラークラスタ印刷等の分散印刷のジョブである場合、第１挿入紙トレイ５１１に載置した挿入用紙に代えて、第２挿入紙トレイ５１２に載置した挿入用紙を用いて、後述するリカバリ処理を行う。
【００５７】
［カラークラスタ印刷の概要］
次に、本実施の形態に係る画像形成システムによる分散印刷の例を説明する。
本実施の形態に係る分散印刷では、第１の種類のページと第２の種類のページとが混在した原稿に基づいて複数の部数を印刷する。以下では、分散印刷として、カラークラスタ印刷を例に説明する。
【００５８】
図５は、本実施の形態に係る画像形成システムによるカラークラスタ印刷のシーケンス図である。サーバ１、カラー画像形成装置２及びモノクロ画像形成装置３の各ＣＰＵが、各装置のＲＯＭに記録されたプログラムを実行することで、図５に示す処理が実現される。
【００５９】
まず、ユーザがサーバ１の操作部１６を操作してカラークラスタ印刷を指示する。予めカラークラスタ印刷の設定を行い、その設定内容をＲＡＭ１３又はＨＤＤ１４に保存しておくものとする。
【００６０】
図９は、サーバ１の表示部１５に表示される、カラークラスタ印刷を設定するためのクラスタ設定画面の例を示す。
図９に示すクラスタ設定画面８００では、クラスタ（分散印刷）の種類を選択できるようになっている。選択肢として、例えばカラークラスタ８０１、数量クラスタ８０２、及びページ指定クラスタ８０３が用意されている。数量クラスタ８０２は、印刷の数量（ページ数又は部数）によってジョブを分割するものである。ページ指定クラスタ８０３は、ページ指定によりジョブを分割するものである。クラスタ設定画面８００では、クラスタ名８１１に表示されているように「カラークラスタ」が選択されている。
【００６１】
カラークラスタの設定では、カラープリンタの選択欄８１２、モノクロプリンタの選択欄８１３、挿入紙トレイの選択欄８１４が用意されている。カラープリンタの選択欄８１２及びモノクロプリンタの選択欄８１３において、ユーザは、サーバ１と接続されたカラープリンタ（カラー画像形成装置）及びモノクロプリンタ（モノクロ画像形成装置）の中から所望のプリンタを選択することができる。挿入紙トレイの選択欄８１４では、ユーザは、通常時に使用する挿入紙トレイを選択することができる。ここでは、「第１挿入紙トレイ」が選択されている。
【００６２】
リカバー設定の選択欄８１５では、ユーザは、「ノーマルモードを使用」又は「ジャムリカバリモードを使用」のいずれかを選択することができる。「ノーマルモードを使用」はリカバリを行わない運用であり、「ジャムリカバリモードを使用」はジャム発生時に本実施の形態に係るリカバリ処理を実行する運用である。「ジャムリカバリモードを使用」を選択した場合には、ユーザは、リカバリトレイの選択欄８１６においてリカバリ時に使用する挿入紙トレイを選択することができる。ここでは、「第２挿入紙トレイ」が選択されている。
【００６３】
またクラスタ設定画面８００には、メディア設定の選択欄８０４と、クラスタ設定の内容を表すクラスタ詳細欄８０５が表示されている。ユーザが完了キー８２１を押下すると、カラークラスタの設定が完了する。保存キー８２３によりクラスタ設定が保存される。設定した内容を取り消したい場合にはキャンセルキー８２４を押下する。
【００６４】
図５のフローチャートの説明に戻る。サーバ１のＣＰＵ１１は、ユーザからのカラークラスタ印刷の指示を受け付け（ステップＳ１）、指定された原稿の画像データと出力設定を関連づけてカラークラスタ印刷のジョブを生成する（ステップＳ２）。
【００６５】
図１０は、表示部１５に表示されるカラークラスタ印刷スタート画面の例を示す。
図１０に示すカラークラスタ印刷スタート画面９００では、例えばカラー／モノクロ混在原稿を選択するための文書名選択欄９０１が表示される。文書を選択した後にスタートキー９０２を押下すると、カラークラスタ印刷のジョブが生成されてカラークラスタ印刷が実行される。オプション設定キー９０３の機能については、後に図１７を参照して説明する。
【００６６】
次に、ＣＰＵ１１は、このカラークラスタ印刷のジョブに含まれるカラー／モノクロ混在原稿に基づいて、ジョブを分割する処理を行う（ステップＳ３）。カラークラスタ印刷のジョブは、第１のジョブとしてカラー／モノクロ混在原稿のカラーページ（第１の種類のページ）を印刷するジョブ（カラー印刷ジョブ）と、第２のジョブとしてカラー／モノクロ混在原稿のモノクロページ（第２の種類のページ）を印刷するジョブ（モノクロ印刷ジョブ）に分割される。このモノクロ印刷ジョブの出力設定には、カラー印刷済みの挿入用紙を挿入する位置（ページ）の設定情報も含まれる。この設定情報に基づき、モノクロ画像形成装置３の画像形成装置本体２００によりモノクロ画像が形成された所定のページに即ち用紙間に、挿入用紙が挿入される。
【００６７】
次に、ＣＰＵ１１は、通信Ｉ／Ｆ１７を通じて、カラー印刷ジョブをカラー画像形成装置２へ送信する（ステップＳ４）。また、ＣＰＵ１１は、通信Ｉ／Ｆ１７を通じて、モノクロ印刷ジョブをモノクロ画像形成装置３へ送信する（ステップＳ５）。
【００６８】
カラー画像形成装置２は、サーバ１からカラー印刷ジョブを受信すると、カラー印刷ジョブに含まれるカラーページの画像データと出力設定に基づいて、用紙にカラー画像を形成するカラー印刷を行う（ステップＳ６）。
【００６９】
また、モノクロ画像形成装置３のＣＰＵ３１は、サーバ１からモノクロ印刷ジョブを受信すると、挿入ユニット５１０の第１挿入紙トレイ５１１及び第２挿入紙トレイ５１２の各々に挿入用紙が載置されているかどうかを確認する（ステップＳ７）。ＣＰＵ３１は、第１用紙検知センサ５１５と第２用紙検知センサ５１６（図２）の検出信号を解析し、挿入用紙の有無を判定する。
【００７０】
このときＣＰＵ３１は、第１挿入紙トレイ５１１及び第２挿入紙トレイ５１２に挿入用紙が正しく載置されているかどうかを、ユーザに確認させる画面（例えば図１１参照）を操作表示部３５に表示するようにしてもよい。
【００７１】
図１１は、挿入紙トレイ確認画面の例を示す。
図１１に示す挿入紙トレイ確認画面１０００では、例えば「カラー印刷済み用紙は第１挿入紙トレイにセットされていますか？」、「リカバリ用のカラー印刷済み用紙は第２挿入紙トレイにセットされていますか？」、及び「確認が済みましたらスタートキーを押してください。」というメッセージが表示されている。ユーザは、第１挿入紙トレイ５１１及び第２挿入紙トレイ５１２に用紙がセットされていることを確認したら、それぞれのＯＫキー１００１，１００２を押下する。そして、ユーザがスタートキー１００３を押下すると、モノクロ画像形成装置３がモノクロ印刷ジョブを実行する。
【００７２】
ＣＰＵ３１は、ユーザによる第１挿入紙トレイ５１１及び第２挿入紙トレイ５１２の各々に載置された挿入用紙の確認が終了すると、モノクロ印刷ジョブに含まれるモノクロページの画像データと出力設定に基づいて、用紙にモノクロ画像を形成するモノクロ印刷ジョブを開始する（ステップＳ８）。
【００７３】
次に、ＣＰＵ３１は、ジャム検出部３７の検出結果に基づいて、モノクロ画像形成装置３にジャムが発生したかどうかを判定する（ステップＳ９）。
【００７４】
ステップＳ９の判定処理においてジャムが発生した場合（ステップＳ９のＹＥＳ）、ＣＰＵ３１は、モノクロ印刷ジョブを中断し、ユーザにジャムの発生を知らせるとともにジャム処理を促す画面（例えば図１２参照）を操作表示部３５に表示する。
【００７５】
図１２は、ジャム通知画面の例を示す。
図１２に示すジャム通知画面１１００では、例えばジャムが発生した「ジョブ番号」と、「紙づまりが発生しました。つまっている用紙を取り除いて下さい。」というメッセージが表示される。このジャム通知を見たユーザは、ジャム処理を行い、指示に従ってジャム処理対象の用紙を取り除く。
【００７６】
その後、ＣＰＵ３１は、ジャムが解消されたかどうかを判定する（ステップＳ１０）。ＣＰＵ３１は、ジャムが解消されない場合（ステップＳ１０のＮＯ）には、ジャムが解消されるまでこの判定処理を継続する。
【００７７】
次に、ステップＳ１０の判定処理においてジャムが解消された場合（ステップＳ１０のＹＥＳ）、ＣＰＵ３１は、リカバリ処理が必要かどうかを判定する（ステップＳ１１）。ここで、第１挿入紙トレイ５１１から給紙された挿入用紙がジャム処理の対象である場合にはリカバリ処理が必要であるため（ステップＳ１１のＹＥＳ）、ステップＳ１２に移行する。一方、第１挿入紙トレイ５１１から給紙された挿入用紙がジャム処理の対象ではない場合にはリカバリ処理が必要ないため（ステップＳ１１のＮＯ）、ステップＳ９に移行する。
【００７８】
リカバリ処理が必要である場合、ＣＰＵ３１は、ジャム処理が行われたことを確認した後に、モノクロ印刷ジョブを再開する。
【００７９】
図１３は、操作表示部３５に表示されるプリント再開画面の例を示す。
図１３に示すプリント再開画面１２００では、例えば「プリントを再開できます。プリントを再開しますか？」というメッセージが表示される。ユーザは、プリント（モノクロ印刷ジョブ）を再開する場合には、プリント再開キー１２０２を押下する。プリント再開キー１２０２が押下されると、ＣＰＵ３１は、モノクロ印刷ジョブを再開する。中止キー１２０１は、プリント（モノクロ印刷ジョブ）を中止するためのキーである。
【００８０】
モノクロ印刷ジョブの再開にあたり、ＣＰＵ３１は、第２挿入紙トレイ５１２に載置された挿入用紙を用いてリカバリ処理を実行する（ステップＳ１２）。リカバリ処理については、後に図７及び図８を参照して詳細に説明する。リカバリ処理が終了すると、ステップＳ９に移行する。
【００８１】
ステップＳ９の判定処理においてジャムが発生していない場合（ステップＳ９のＮＯ）、ＣＰＵ３１は、第１挿入紙トレイ５１１に載置された挿入用紙がなくなるまでモノクロ印刷ジョブを実行する。そして、ＣＰＵ３１は、第１挿入紙トレイ５１１に載置された挿入用紙がなくなったら、モノクロ印刷ジョブを終了する（ステップＳ１３）。
【００８２】
次に、ＣＰＵ３１は、カラークラスタ印刷を完了した部数がジョブの目的の部数に達しているかどうかを判定する。カラークラスタ印刷を完了した部数が不足していない場合（ステップＳ１４のＮＯ）、ＣＰＵ３１は、図５の処理を終了する。
【００８３】
一方、ステップＳ１４の判定処理においてカラークラスタ印刷を完了した部数が不足している場合（ステップＳ１４のＹＥＳ）には、ＣＰＵ３１は、不足部数のカラークラスタ印刷を行う（ステップＳ１５）。この不足部数のカラークラスタ印刷については、後述する。
【００８４】
ここで、カラークラスタ印刷について、通常考えられるカラークラスタ印刷のリカバリ処理と、本実施の形態に係るカラークラスタ印刷のリカバリ処理とを対比しながら説明する。
【００８５】
［通常考えられるカラークラスタ印刷におけるリカバリ処理］
図６は、カラークラスタ印刷の説明図である。図６Ａはカラー／モノクロ混在原稿の例、図６Ｂは挿入用紙の例、図６Ｃはジャム時の各用紙の状態の例、図６Ｄはリカバリ処理の例を示す。
【００８６】
カラークラスタ印刷ジョブとして、１０ページのうち３ページ目、６ページ目、９ページ目がカラーページ、残りがモノクロページであるカラー／モノクロ混在原稿に基づくカラークラスタ印刷を行う場合を想定する（図６Ａ）。以降の説明において、印刷の管理単位（部）内のｎページ目を［Ｐｎ］と表記する。
【００８７】
カラークラスタ印刷では、カラーページとモノクロページに分けて複数の部数を印刷するため、一つの挿入紙トレイに、［Ｐ３］，［Ｐ６］，［Ｐ９］，［Ｐ３］，［Ｐ６］，［Ｐ９］，［Ｐ３］，［Ｐ６］，［Ｐ９］，［Ｐ３］，［Ｐ６］，［Ｐ９］，…のようにカラー印刷済み用紙（挿入用紙）が挿入される（図６Ｂ）。
【００８８】
例えば、２部目の［Ｐ６］が後処理装置内でジャムを起こした場合には、［Ｐ１］〜［Ｐ５］までが印刷・丁合済みとなり、ジャムを起こした［Ｐ６］とその後の［Ｐ７］，［Ｐ８］の２ページが後処理装置又は画像形成装置本体内でジャム処理対象となる。そして、［Ｐ９］，［Ｐ１０］が未挿入・未印刷となる（図６Ｃ）。
【００８９】
２部目の［Ｐ６］の位置でジャムが発生した場合には、［Ｐ６］は傷がつくなどして再利用できなくなるが、ページ順を維持するために、［Ｐ６］から給紙を再開する必要がある。
【００９０】
ジャムが発生する度に、カラー画像形成装置で再カラー印刷を実施し、このカラー印刷した挿入用紙を挿入紙トレイに載置されているカラー印刷済みの挿入用紙束の一番上に置くことも考えられる。しかし、再カラー印刷の待ち時間なしでモノクロ印刷を再開するためには、傷ついた挿入用紙（［Ｐ６］）をすぐに再カラー印刷できるようカラー画像形成装置を確保しておくことが必要となるが、ムダな時間が発生する。そのため、再利用できなくなった挿入用紙に関しては、後で（モノクロ印刷ジョブの終了後に）まとめて印刷を行うほうが効率的である。
【００９１】
そこで、モノクロ印刷を継続するために、挿入紙トレイに載置されている挿入用紙を利用する。この場合、ジャムを起こした２部目の［Ｐ６］と３部目の［Ｐ６］までの間にある２部目の［Ｐ９］と３部目の［Ｐ３］を、モノクロ印刷済み用紙を排紙するトレイとは別のトレイに排紙し、３部目の［Ｐ６］から印刷を再開する（図６Ｄ）。
【００９２】
他のトレイに排紙した［Ｐ９］，［Ｐ３］を無駄にしないために再利用することが望ましいが、ページ順が逆転している（［Ｐ３］，［Ｐ９］の順ではない）ため、並べ替えが必要となり、手間がかかるという問題がある。
【００９３】
このような問題を解決するため、本実施の形態では、複数の部数の挿入用紙を２つの挿入紙トレイに分割して載置しておく。
【００９４】
［本実施の形態に係るカラークラスタ印刷におけるリカバリ処理］
図７は、本発明の一実施の形態に係るカラークラスタ印刷のリカバリ処理（図５のステップＳ１２）を示すフローチャートである。モノクロ画像形成装置３のＣＰＵ３１が、ＲＯＭ３２に記録されたプログラムを実行することで、図７に示す処理が実現される。
【００９５】
カラークラスタ印刷を行う際に、複数の部数のカラー印刷済みの挿入用紙を、挿入ユニット５１０の第１挿入紙トレイ５１１と第２挿入紙トレイ５１２に分割して載置しておく。モノクロ画像形成装置３は、ジャム処理後のモノクロ印刷を再開時に、第１挿入紙トレイ５１１から給紙されてジャム処理対象となった挿入用紙の代替として、第２挿入紙トレイ５１２に載置された挿入用紙の中から、ジャム処理対象となった挿入用紙のページと同じページの挿入用紙を挿入することで、欠損した挿入用紙の補填（リカバリ）を行う。
【００９６】
図７に示すように、まずＣＰＵ３１は、第１挿入紙トレイ５１１（通常用挿入紙トレイ）から給紙されてジャム処理対象となった挿入用紙のページと同じページに到達するまで、第２挿入紙トレイ５１２（リカバリ用挿入紙トレイ）に配置された挿入用紙を排出する（ステップＳ２１）。
【００９７】
次に、ＣＰＵ３１は、第１挿入紙トレイ５１１に配置されたジャム処理対象のページと同じページの挿入用紙を給紙する（ステップＳ２２）。
【００９８】
次に、ＣＰＵ３１は、第１挿入紙トレイ５１１に配置された挿入用紙を、リカバリに使用した挿入用紙が含まれる管理単位の範囲内で排出する（ステップＳ２３）。ＣＰＵ３１は、ステップＳ２３の処理が終了したら一連のリカバリ処理を終了し、ステップＳ９に移行する。
【００９９】
図８は、本発明の一実施の形態に係るカラークラスタ印刷のリカバリ処理の具体例を示す説明図である。
ここでは、図６のカラー／モノクロ混在原稿を８部印刷する場合を想定し、例えば第１挿入紙トレイ５１１に挿入用紙を５部載置し、第２挿入紙トレイ５１２にリカバリ用の挿入用紙を３部載置しておく。
【０１００】
ＣＰＵ３１は、通常は、第１挿入紙トレイ５１１から挿入用紙の通紙を行い、モノクロ印刷済み用紙及び挿入用紙を第１排紙トレイ５３１に排紙する。ここで、第１挿入紙トレイ５１１から挿入用紙を通紙中にジャムが発生したと仮定する。ＣＰＵ３１は、第１挿入紙トレイ５１１からの挿入用紙の欠損を補うために、第２挿入紙トレイ５１２から欠損した挿入用紙のページと対応しない挿入用紙を、第１排紙トレイ５３１とは別の第２排紙トレイ５３２に排紙する。そして、第２挿入紙トレイ５１２から上記欠損したページに対応するページの挿入用紙を通紙し、モノクロ印刷を継続する。
【０１０１】
図８の例では、第１挿入紙トレイ５１１に載置された挿入用紙の２部目の［Ｐ６］を通紙時にジャムが発生している。この場合、ＣＰＵ３１は、第２挿入紙トレイ５１２に載置された挿入用紙の１部目の［Ｐ３］を第２排紙トレイ５３２へ排紙し、ジャム処理対象のページと同じ［Ｐ６］を給紙する。その後、１部目の［Ｐ９］を第２排紙トレイ５３２へ排紙する。このとき、リカバリの内容等を通知する画面（例えば図１４参照）を操作表示部３５に表示するようにしてもよい。
【０１０２】
図１４は、リカバリ通知画面の例を示す。
図１４に示すリカバリ通知画面１３００において、例えばリカバリ内容の通知として「第１挿入紙トレイの挿入用紙の“２部目の６ページ目”で紙づまりが発生したため、第１挿入紙トレイのリカバリ用のカラー印刷済み用紙の６ページ目を使用してリカバリを行いました。」というメッセージを表示する。また、「また同一部内のリカバリ用のカラー印刷済み用紙の３ページ目と９ページ目を第２排紙トレイに排紙しました。」というメッセージを表示する。これらのメッセージにより、ユーザは、リカバリの内容やリカバリに付随する処理（排紙）の内容を容易に把握することが可能である。
【０１０３】
また、図８の例では、ジョブ再開後に、第１挿入紙トレイ５１１に載置された挿入用紙の３部目の［Ｐ３］を通紙時にジャムが発生している。この場合には、ＣＰＵ３１は、第２挿入紙トレイ５１２に載置された挿入用紙の２部目のジャム処理対象のページと同じ［Ｐ３］を給紙する。その後、同じ２部目の［Ｐ６］［Ｐ９］を第２排紙トレイ５３２へ排紙する。
【０１０４】
さらに、図８の例では、２度目のジョブ再開後に、第１挿入紙トレイ５１１に載置された挿入用紙の４部目の［Ｐ９］を通紙時にジャムが発生している。この場合には、ＣＰＵ３１は、第２挿入紙トレイ５１２に載置された挿入用紙の３部目の［Ｐ３］［Ｐ６］を第２排紙トレイ５３２へ排紙し、３部目のジャム処理対象のページと同じ［Ｐ９］を給紙する。
【０１０５】
結果として、第２排紙トレイ５３２には、［Ｐ３］［Ｐ９］、［Ｐ６］［Ｐ９］、［Ｐ３］［Ｐ６］が排紙され、ＣＰＵ３１は、印刷部数に３部足りない状態でモノクロ印刷ジョブを停止する。残りの３部については、排紙された［Ｐ３］［Ｐ９］、［Ｐ６］［Ｐ９］、［Ｐ３］［Ｐ６］を用いて、別途カラークラスタ印刷を行う（図５のステップＳ１４に相当）。この不足部数の印刷処理については、後に図１５〜図１７を参照して詳細に説明する。
【０１０６】
上記のとおり、第１挿入紙トレイ５１１に載置される挿入用紙の部数と、第２挿入紙トレイ５１２に載置される挿入用紙の部数との合計は、カラークラスタ印刷により印刷すべき部数と同じであることが望ましい。このような構成とすることにより、ジャムによって挿入用紙に欠損が発生した場合に、その欠損分の挿入用紙を新たに用意して再度モノクロ印刷を行うことにより、指示された印刷すべき部数が得られ、無駄な挿入用紙が生じない。
【０１０７】
上述した実施の形態によれば、ジャム発生後のジョブ再開時に、第１挿入紙トレイ５１１から給紙されてジャム処理対象となった挿入用紙の代替として、第２挿入紙トレイ５１２に載置された挿入用紙の中から、ジャム処理対象となった挿入用紙のページと同じページの挿入用紙を挿入するリカバリ処理を行う。すなわち、カラークラスタ印刷などの分散印刷を行う際に、通常用の挿入紙トレイから給紙された挿入用紙がジャム処理対象となった場合、リカバリ用の挿入紙トレイから挿入用紙を給紙し、欠損した挿入用紙のページと同じページからジョブを再開する。それ故、例えば通常用の挿入紙トレイに載置した挿入用紙が欠損しても欠損した分の挿入用紙をユーザが用意したり、挿入用紙を並べ替えたりなどの手間が発生することなく、リカバリを行うことができる。
【０１０８】
なお、図７及び図８の例では、３度のジャムが発生しているが、ジャムが発生しなかった場合には、ＣＰＵ３１は、モノクロ印刷ジョブを継続して第２挿入紙トレイ５１２に載置された３部の挿入用紙を順次給紙して、画像形成装置本体２００から排出されるモノクロ印刷済み用紙と丁合するようにしてもよい（ステップＳ８，Ｓ９，Ｓ１３に対応）。これにより、８部のカラークラスタ印刷が終了する。この場合、カラークラスタ印刷ジョブの設定として、第１挿入紙トレイ５１１に載置された挿入用紙が無くなった時点で、通常用の挿入用紙の給紙元を第２挿入紙トレイ５１２に切り替えるように設定しておく。
【０１０９】
あるいは、ジャムが発生しなかった場合には、ユーザが第２挿入紙トレイ５１２に載置された３部の挿入用紙を第１挿入紙トレイ５１１に移し替える。そして、ＣＰＵ３１は、第１挿入紙トレイ５１１に移し替えられた３部の挿入用紙を給紙して、画像形成装置本体２００から排出されるモノクロ印刷済み用紙と丁合するようにしてもよい（ステップＳ８，Ｓ９，Ｓ１３に対応）。これにより、８部のカラークラスタ印刷が終了する。この場合、カラークラスタ印刷ジョブの設定として、第１挿入紙トレイ５１１に載置された挿入用紙が無くなった時点でジョブを一旦停止し、第１挿入紙トレイ５１１に３部の挿入用紙が移し替えられた後、ジョブを再開するように設定しておく。
【０１１０】
さらに、ジャムが１度又は２度発生した場合、すなわち第２挿入紙トレイ５１２に挿入用紙が部単位で残っている場合、ＣＰＵ３１は、モノクロ印刷ジョブを継続して第２挿入紙トレイ５１２に載置された残りの挿入用紙を順次給紙して、画像形成装置本体２００から排出されるモノクロ印刷済み用紙と丁合するようにしてもよい。この場合も、カラークラスタ印刷ジョブの設定として、第１挿入紙トレイ５１１に載置された挿入用紙が無くなった時点で、通常用の挿入用紙の給紙元を第２挿入紙トレイ５１２に切り替えるように設定しておく。
【０１１１】
［リカバリ処理後の不足部数の印刷処理］
次に、カラークラスタ印刷におけるリカバリ処理後の不足部数の印刷処理（図５のステップＳ１５）を説明する。
【０１１２】
図１５は、本発明の一実施の形態に係るリカバリ処理後の不足部数の印刷処理を示すシーケンス図である。モノクロ画像形成装置３のＣＰＵ３１が、ＲＯＭ３２に記録されたプログラムを実行することで、図７に示す処理が実現される。
【０１１３】
図５のステップＳ１４の判定処理においてカラークラスタ印刷を完了した部数が不足している場合（ステップＳ１４のＹＥＳ）には、ＣＰＵ３１は印刷結果（例えば図１６参照）を操作表示部３５に表示する（ステップＳ３１）。なお、カラークラスタ印刷を完了した部数が不足していない場合（ステップＳ１４のＮＯ）でも、目的の部数のカラークラスタ印刷が完了したことを示す印刷結果を操作表示部３５に表示するようにしてもよい。
【０１１４】
図１６は、カラークラスタ印刷結果の例を示す。
図１６に示すリカラークラスタ印刷結果１５００では、例えば「ジョブ００１において、ジャムが３回発生したため、目的の部数に３部足りません。」というメッセージが表示される。このメッセージは、図８の具体例でジャムが３回発生したことを通知するものである。ユーザは、内容を確認したらＯＫキー１５０１を押下する。
【０１１５】
次に、ＣＰＵ３１は、印刷結果（不足情報）を通信Ｉ／Ｆ３８を通じてサーバ１へ送信する（ステップＳ３２）。
【０１１６】
次に、サーバ１のＣＰＵ１１は、モノクロ画像形成装置３から受信した印刷結果を表示部１５に表示する（ステップＳ３３）。ユーザは、印刷結果を確認し、操作部１６を操作して不足部数に対するカラークラスタ印刷を指示する。ここで、例えばユーザは、カラークラスタ印刷スタート画面９００のオプション設定キー９０３を押下し、オプション設定画面（図１７参照）の各項目を設定する。
【０１１７】
ＣＰＵ１１は、印刷結果を確認したユーザから不足部数に対するカラークラスタ印刷の指示を受け付け（ステップＳ３４）、指定された原稿の画像データと出力設定を関連づけて不足部数分のカラークラスタ印刷のジョブを生成する（ステップＳ３５）。
【０１１８】
次に、ＣＰＵ１１は、ステップＳ３６〜Ｓ４１の処理を行う。このステップＳ３６〜Ｓ４１の処理は、図５のステップＳ３〜Ｓ８の処理に対応し、処理内容が同じ又は類似であるため説明を省略又は簡略する。
【０１１９】
ステップＳ４１において、ＣＰＵ１１は、挿入ユニット５１０の第１挿入紙トレイ５１１及び第２挿入紙トレイ５１２に挿入用紙が載置されると、モノクロ印刷ジョブに含まれるモノクロページの画像データと出力設定に基づいて、不足部数分のモノクロ印刷ジョブを開始する。そして、ＣＰＵ３１は、不足部数分のモノクロ印刷が終了したら、モノクロ印刷ジョブを終了する。
【０１２０】
［不足部数に対するカラークラスタ印刷の設定方法］
ここで、不足部数に対するカラークラスタ印刷の設定方法を説明する。
図１７は、サーバ１の表示部１５に表示されるオプション設定画面の例を示す。
図１７に示すオプション設定画面１６００では、例えば「文書名」、「挿入紙チェック欄１６０１」が表示される。ユーザが操作部１６を操作して、「挿入紙チェック欄１６０１」のチェックボックスにチェックを入れると、その下に表示される「部数欄１６０２」、「第１挿入紙トレイから挿入するページ欄１６０３」、及び「第２挿入紙トレイから挿入するページ欄１６０４」に、数字を記入することができるようになる。
【０１２１】
上述した図８の例では、第２排紙トレイ５３２には、［Ｐ３］［Ｐ９］、［Ｐ６］［Ｐ９］、［Ｐ３］［Ｐ６］が排紙される。この［Ｐ３］［Ｐ９］、［Ｐ６］［Ｐ９］、［Ｐ３］［Ｐ６］を、第１挿入紙トレイ５１１に移し替える。これと並行して、ジャム処理の対象となって欠損した［Ｐ６］、［Ｐ３］、［Ｐ９］をカラー画像形成装置２でカラー印刷しておく。そして、カラー印刷済みの挿入用紙［Ｐ６］、［Ｐ３］、［Ｐ９］を、第２挿入紙トレイ５１２に載置する。
【０１２２】
ここで、オプション設定画面１６００において、「部数欄１６０２」に“３”、「第１挿入紙トレイから挿入するページ欄１６０３」に“３，９，６，９，３，６”、及び「第２挿入紙トレイから挿入するページ欄１６０４」に“６，３，９”と入力する。ユーザは、入力した内容を確認したら、ＯＫキー１６０５を押下する。入力した内容を取り消したい場合にはキャンセルキー１６０６を押下する。
【０１２３】
ＣＰＵ１１は、ＯＫキー１６０５が押下されると、不足部数分の丁合を伴うカラークラスタ印刷ジョブを生成し（ステップＳ３５）、ジョブの分割処理を行う（ステップＳ３６）。そして、ＣＰＵ１１は、カラー印刷ジョブをカラー画像形成装置２へ送信し（ステップＳ３７）、モノクロ印刷ジョブをモノクロ画像形成装置３へ送信する（ステップＳ３８）。
【０１２４】
カラー画像形成装置２は、受信したカラー印刷ジョブを実行する（ステップＳ３９）。このとき、カラー画像形成装置２は、第２挿入紙トレイから挿入するページ欄１６０４に入力された“６，３，９”に基づいてカラー印刷を行い、［Ｐ６］、［Ｐ３］、［Ｐ９］を出力する。
【０１２５】
モノクロ画像形成装置３は、受信したモノクロ印刷ジョブを実行する（ステップＳ４１）。このモノクロ印刷ジョブの出力設定には、オプション設定画面１６００を用いて設定されたカラー印刷済みの挿入用紙を挿入する位置（ページ）と、第１挿入紙トレイ５１１と第２挿入紙トレイ５１２の切り替えに関する設定情報が含まれる
【０１２６】
モノクロ画像形成装置３のＣＰＵ３１は、この設定情報に基づき、画像形成装置本体２００によりモノクロ画像が形成された用紙間に、第１挿入紙トレイ５１１又は第２挿入紙トレイ５１２のいずれかから挿入用紙を給紙する。図１７の例では、ＣＰＵ３１は、１部目のモノクロ印刷において、まず第１挿入紙トレイ５１１から［Ｐ３］を給紙し、次に第２挿入紙トレイ５１２から［Ｐ６］を給紙し、再び第１挿入紙トレイ５１１から［Ｐ９］を給紙する。またＣＰＵ３１は、２部目ではまず第２挿入紙トレイ５１２から［Ｐ３］を給紙し、次に第１挿入紙トレイ５１１から［Ｐ６］，［Ｐ９］を順に給紙する。またＣＰＵ３１は、３部目ではまず第２挿入紙トレイ５１２から［Ｐ３］，［Ｐ６］を順に給紙し、次に第２挿入紙トレイ５１２から［Ｐ９］を給紙する。
【０１２７】
このように、リカバリ処理により排紙されたカラー印刷済みの挿入用紙を用いて、モノクロ印刷された用紙間の所定の位置（ページ）に、カラー印刷済みの挿入用紙が適宜挿入されるように設定を変えて再印刷を行う。これにより、無駄な挿入用紙を発生させることなく、カラークラスタ印刷を終了させることができる。
【０１２８】
なお、既述のとおり、モノクロ画像形成装置３からサーバ１へ印刷結果（不足情報）が通知される。この印刷結果に、欠損した挿入用紙のページ情報と、排紙した挿入用紙のページ情報とが含まれる。そこで、サーバ１のＣＰＵ１１は、オプション設定画面１６００の「第１挿入紙トレイから挿入するページ欄１６０３」と「第２挿入紙トレイから挿入するページ欄１６０４」に、受信した印刷結果に基づいて数値を自動的に入力するようにしてもよい。このようにした場合、ユーザが手入力する手間が省けるとともに、誤入力を防止できる。
【０１２９】
［挿入用紙の分割割合の決定方法］
次に、挿入用紙の分割割合の決定方法を説明する。
複数の部数の挿入用紙を２つの挿入紙トレイに分割する比率については、ジャムの発生率（若しくは安全率）から算出する。例えばモノクロ画像形成装置のＣＰＵ３１は、過去に印刷したページ数とジャム回数からジャムの発生率を計算し、ＨＤＤ３４等の記憶部に記憶しておく。なお、ジャムの安全率は、ジャム発生率の逆数として定義できる。一例としては、１部あたり５０ページのカラー／モノクロ混在原稿を５００部印刷する場合、２５０００枚を印刷することになるが、ジャムの発生率を１／５０００ページとして考えると５回のジャムが発生する。より安全を見越して、その倍のジャムが発生しても印刷が継続できるようにすることがより望ましい。すなわち、ジャムが１０回発生してもリカバリできるように、４９０部を通常用挿入紙トレイ（第１挿入紙トレイ５１１）に入れ、１０部の挿入用紙をリカバリ用挿入紙トレイ（第２挿入紙トレイ５１２）に入れる。
【０１３０】
このような分割を可能とするため、カラー画像形成装置２は、５００部のうち４９０部のカラー印刷が終了したら一旦停止し、ユーザが４９０部のカラー印刷済み用紙を取り出したら、残りの１０部をカラー印刷する。あるいは、カラー画像形成装置２は、４９０部をカラー印刷した時点で合紙を挿入し、４９０部と１０部に容易に分割できるようにする。
【０１３１】
図１８は、サーバ１の表示部１５に表示されるカラークラスタ分割設定画面の例を示す図である。
図１８に示すカラークラスタ分割設定画面１７００には、例えばカラークラスタ印刷の対象となるカラー／モノクロ混在原稿のページ数を示すページ数欄１７０１、及びカラークラスタ印刷で印刷する部数を示す部数欄１７０２が表示されている。ここでは、ページ数欄１７０１に“５０”、部数欄１７０２に“５００”と入力されている。また、カラークラスタ分割設定画面１７００には、自動設定を指定する自動指定欄１７０３、及びユーザ入力を指定するユーザ入力指定欄１７０６が表示される。ここで、ユーザが操作部１６を操作して、自動指定欄１７０３のチェックボックスにチェックを入れると、ＣＰＵ１１がジョブの発生率（１／５０００ページ）に基づいて、挿入用紙の分割割合を計算する。そして、ＣＰＵ１１は、計算結果として第１挿入紙トレイの部数欄１７０４に“４９０”、第２挿入紙トレイの部数欄１７０５に“１０”と入力する。ユーザは、入力した内容を確認したら、ＯＫキー１７１０を押下する。入力した内容を取り消したい場合にはキャンセルキー１７１１を押下する。
【０１３２】
一方、ユーザが操作部１６を操作して、ユーザ入力指定欄１７０６のチェックボックスにチェックを入れると、ユーザが第１挿入紙トレイの部数欄１７０７と第２挿入紙トレイの部数欄１７０８に部数を入力することが可能となる。例えば上記の分割割合の例では、ユーザは、第１挿入紙トレイの部数欄１７０７に“４９０”、第２挿入紙トレイの部数欄１７０８に“１０”というように入力する。
【０１３３】
このように、ユーザが自動設定を指定した場合は、サーバ１がジャムの発生率から適切な分割割合を自動的に設定する。このため、ユーザが手入力する手間が省けるとともに、複数の部数の挿入用紙が適切に分割されるため、カラークラスタ印刷を効率よく行うことができる。また、ユーザが自身による入力を指定した場合は、ユーザが複数の部数の挿入用紙の分割割合を自由に決定することができる。例えばユーザは、分割割合を、ジャムの発生率を用いて又はジャムの発生率を用いずに、決定することが可能になる。
【０１３４】
以上、本発明者によってなされた発明を適用した実施の形態について説明した。しかしながら、上記実施の形態による発明の開示の一部をなす論述及び図面により本発明は限定されることはなく、特許請求の範囲に記載した発明の要旨を逸脱しない範囲内で種々の変形実施が可能である。
【０１３５】
上述した一実施の形態では電子写真方式の画像形成装置について説明したが、電子写真方式以外の画像形成装置にも適用可能である。
【０１３６】
また、上述した一実施の形態では、分散印刷としてカラークラスタ印刷を例示したが、この例に限られない。すなわち、分散印刷対象の原稿の第１の種類のページがカラーページ、第２の種類のページがモノクロページである例を説明したが、この例に限られない。また、ページ指定クラスタにおいて、任意の画像形成装置で印刷するページを第１の種類のページとし、他の画像形成装置で印刷する残りのページを第２の種類のページとしてもよい。また、例えば第１の種類と第２の種類として用紙の種類が挙げられる。
【０１３７】
また、上述した一実施の形態では、後処理装置５００内で挿入用紙を直接の原因とするジャムが発生した例を説明したが、また、ジャム処理対象を、ジャム用紙とその後の２ページの用紙としたが、この例に限られない。
【０１３８】
また、上述した一実施の形態では、モノクロ画像形成装置３が備える挿入紙トレイを２個とし、また排紙トレイを２個としたが、これらは３個以上でもよい。また、リカバリ処理時に不要な挿入用紙（図８参照）を第２排紙トレイ５３２に排紙するようにしたが、画像形成装置本体２００又は後処理装置５００の内部に、これらの挿入用紙を回収して収容する収容部を設けてもよい。
【符号の説明】
【０１３９】
１…画像形成装置、  ２…カラー画像形成装置、  ３…モノクロ画像形成装置、  ３１…ＣＰＵ、  ３２…ＲＯＭ、  ３３…ＲＡＭ、  ３４…ＨＤＤ、  ３５…操作表示部、  ３７…ジャム検出部、  ２００…画像形成装置本体、  ２１０…画像形成部２１０、  ２２０…定着部２２０、  ２３０…用紙搬送部２３０，５２０、  ５００…後処理装置、  ５１０…挿入ユニット、  ５１１…第１挿入紙トレイ、  ５１２…第２挿入紙トレイ、  ５３１…第１排紙トレイ、  ５３２…第２排紙トレイ、  ８００…クラスタ設定画面、  １７００…カラークラスタ分割設定画面
【図１】
2016088051.tif 000003
【図２】
2016088051.tif 000004
【図３】
2016088051.tif 000005
【図４】
2016088051.tif 000006
【図５】
2016088051.tif 000007
【図６】
2016088051.tif 000008
【図７】
2016088051.tif 000009
【図８】
2016088051.tif 000010
【図９】
2016088051.tif 000011
【図１０】
2016088051.tif 000012
【図１１】
2016088051.tif 000013
【図１２】
2016088051.tif 000014
【図１３】
2016088051.tif 000015
【図１４】
2016088051.tif 000016
【図１５】
2016088051.tif 000017
【図１６】
2016088051.tif 000018
【図１７】
2016088051.tif 000019
【図１８】
2016088051.tif 000020